【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
画像に含まれる顔の領域を検出する顔領域検出手段と、
前記顔領域検出手段によって検出された顔領域を示す領域情報を画像と関連付けて記録媒体に記録するよう制御する記録制御手段と、
前記画像を表示部に表示するよう制御する表示制御手段と、
第１の画像が複数の顔領域を含む場合に、前記第１の画像に含まれる顔領域を選択指示に応じて選択する第１の選択手段と、
前記第１の画像に含まれる顔領域のうち、特定の顔領域が選択されている際に前記選択指示があると第２の画像に含まれる顔領域を選択する第２の選択手段と
を有することを特徴とする画像表示制御装置。
【請求項２】
前記表示制御手段は、前記第１の選択手段あるいは前記第２の選択手段により選択された顔領域が含まれる画像を認識可能に前記第１の画像あるいは前記第２の画像を前記表示部に表示するように制御することを特徴とする請求項１に記載の画像表示制御装置。
【請求項３】
前記特定の顔領域は、前記記録媒体に記録された前記領域情報のうち、同一の画像に含まれる領域情報の最初の領域情報あるいは最後の領域情報によって示される顔領域であることを特徴とする請求項１に記載の画像表示制御装置。
【請求項４】
前記第２の選択手段は、前記第１の選択手段により前記第１の画像に含まれる全ての顔領域が選択された後、第２の画像に含まれる顔領域を前記選択指示に応じて選択することを特徴とする請求項１に記載の画像表示制御装置。
【請求項５】
前記記録制御手段は、画像の記録されているメモリ領域、画像のパス名、画像のファイル名、画像を一意に識別する画像名、前記表示制御手段が発行するユニークなIDのうちの少なくも１つを前記記録媒体に記録するよう制御することを特徴とする請求項１に記載の画像表示制御装置。
【請求項６】
前記表示制御手段は前記画像のうち、前記選択された顔領域のみを前記表示装置に表示するように制御することを特徴とする請求項１に記載の画像表示制御装置。
【請求項７】
現在選択している顔領域の前の顔領域を選択するための第１の操作手段、現在選択している顔領域の後の顔領域を選択するための第２の操作手段のうち、少なくとも一方の操作手段によって前記選択指示がなされることを特徴とする請求項１に記載の画像表示制御装置。
【請求項８】
前記記録制御手段は、前記領域情報を矩形情報として前記記録媒体に記録するよう制御することを特徴とする請求項１に記載の画像表示制御装置。
【請求項９】
前記表示制御手段は、前記選択された顔領域を、枠をつけて表示、反転表示、その他の強調表示のうち少なくとも１つの表示をするように制御することを特徴とする請求項１に記載の画像表示制御装置。
【請求項１０】
画像に含まれる顔の領域を検出する顔領域検出工程と、
前記顔領域検出工程において検出された顔領域を示す領域情報を画像と関連付けて記録媒体に記録するよう制御する記録制御工程と、
前記画像を表示部に表示するように制御する表示制御工程と、
第１の画像が複数の顔領域を含む場合に、前記第１の画像に含まれる顔領域を選択指示に応じて選択する第１の選択工程と、
前記第１の画像に含まれる顔領域のうち、特定の顔領域が選択されている際に前記選択指示があると第２の画像に含まれる顔領域を選択する第２の選択工程と
を有することを特徴とする画像表示制御方法。
【請求項１１】
前記表示制御工程は、前記第１の選択工程あるいは前記第２の選択工程において選択された顔領域が含まれる画像を認識可能に前記第１の画像あるいは前記第２の画像を前記表示部に表示するように制御することを特徴とする請求項１０に記載の画像表示制御方法。
【請求項１２】
前記特定の顔領域は、前記記録媒体に記録された前記領域情報のうち、同一の画像に含まれる領域情報の最初の領域情報あるいは最後の領域情報によって示される顔領域であることを特徴とする請求項１０に記載の画像表示制御方法。
【請求項１３】
前記第２の選択工程は、前記第１の選択工程において前記第１の画像に含まれる全ての顔領域が選択された後、第２の画像に含まれる顔領域を前記選択指示に応じて選択することを特徴とする請求項１０に記載の画像表示制御方法。
【請求項１４】
前記記録制御工程は、画像の記録されているメモリ領域、画像のパス名、画像のファイル名、画像を一意に識別する画像名、前記表示制御工程において発行するユニークなIDのうちの少なくも１つを前記記録媒体に記録するよう制御することを特徴とする請求項１０に記載の画像表示制御方法。
【請求項１５】
前記表示制御工程は前記画像のうち、前記選択された顔領域のみを前記表示装置に表示するように制御することを特徴とする請求項１０に記載の画像表示制御方法。
【請求項１６】
現在選択している顔領域の前の顔領域を選択するための第１の操作工程、現在選択している顔領域の後の顔領域を選択するための第２の操作工程のうち、少なくとも一方の操作工程において前記選択指示がなされることを特徴とする請求項１０に記載の画像表示制御方法。
【請求項１７】
前記記録制御工程においては、前記領域情報を矩形情報として前記記録媒体に記録するよう制御することを特徴とする請求項１０に記載の画像表示制御方法。
【請求項１８】
前記表示制御工程においては、前記選択された顔領域を、枠をつけて表示、反転表示、その他の強調表示のうち少なくとも１つの表示をするように制御することを特徴とする請求項１０に記載の画像表示制御方法。
【請求項１９】
画像に含まれる顔の領域を検出する顔領域検出工程と、
前記顔領域検出工程において検出された顔領域を示す領域情報を画像と関連付けて記録媒体に記録するよう制御する記録制御工程と、
前記画像を表示部に表示するように制御する表示制御工程と、
第１の画像が複数の顔領域を含む場合に、前記第１の画像に含まれる顔領域を選択指示に応じて選択する第１の選択工程と、
前記第１の画像に含まれる顔領域のうち、特定の顔領域が選択されている際に前記選択指示があると第２の画像に含まれる顔領域を選択する第２の選択工程とをコンピュータに実行させることを特徴とするコンピュータプログラム。
【請求項２０】
請求項１９に記載のコンピュータプログラムを記憶したことを特徴とするコンピュータ読み取り可能な記録媒体。
【手続補正２】
【補正対象書類名】明細書
【補正対象項目名】発明の名称
【補正方法】変更
【補正の内容】
【発明の名称】画像表示制御装置、画像表示制御方法、コンピュータプログラム、及び記録媒体
【手続補正３】
【補正対象書類名】明細書
【補正対象項目名】０００１
【補正方法】変更
【補正の内容】
【０００１】
本発明は、画像表示制御装置、画像表示制御方法、コンピュータプログラム、及び記録媒体に関する。
【手続補正４】
【補正対象書類名】明細書
【補正対象項目名】０００８
【補正方法】変更
【補正の内容】
【０００８】
本発明の画像表示制御装置は、画像に含まれる顔の領域を検出する顔領域検出手段と、前記顔領域検出手段によって検出された顔領域を示す領域情報を画像と関連付けて記録媒体に記録するよう制御する記録制御手段と、前記画像を表示部に表示するよう制御する表示制御手段と、第１の画像が複数の顔領域を含む場合に、前記第１の画像に含まれる顔領域を選択指示に応じて選択する第１の選択手段と、前記第１の画像に含まれる顔領域のうち、特定の顔領域が選択されている際に前記選択指示があると第２の画像に含まれる顔領域を選択する第２の選択手段とを有することを特徴とする。
【手続補正５】
【補正対象書類名】明細書
【補正対象項目名】０００９
【補正方法】変更
【補正の内容】
【０００９】
本発明の画像表示制御方法は、画像に含まれる顔の領域を検出する顔領域検出工程と、前記顔領域検出工程において検出された顔領域を示す領域情報を画像と関連付けて記録媒体に記録するよう制御する記録制御工程と、前記画像を表示部に表示するように制御する表示制御工程と、第１の画像が複数の顔領域を含む場合に、前記第１の画像に含まれる顔領域を選択指示に応じて選択する第１の選択工程と、前記第１の画像に含まれる顔領域のうち、特定の顔領域が選択されている際に前記選択指示があると第２の画像に含まれる顔領域を選択する第２の選択工程とを有することを特徴とする。
【手続補正６】
【補正対象書類名】明細書
【補正対象項目名】００１０
【補正方法】変更
【補正の内容】
【００１０】
本発明のコンピュータプログラムは、画像に含まれる顔の領域を検出する顔領域検出工程と、前記顔領域検出工程において検出された顔領域を示す領域情報を画像と関連付けて記録媒体に記録するよう制御する記録制御工程と、前記画像を表示部に表示するように制御する表示制御工程と、第１の画像が複数の顔領域を含む場合に、前記第１の画像に含まれる顔領域を選択指示に応じて選択する第１の選択工程と、前記第１の画像に含まれる顔領域のうち、特定の顔領域が選択されている際に前記選択指示があると第２の画像に含まれる顔領域を選択する第２の選択工程とをコンピュータに実行させることを特徴とする。
【手続補正７】
【補正対象書類名】明細書
【補正対象項目名】００１３
【補正方法】変更
【補正の内容】
【００１３】
図１は、本発明の画像表示制御装置、画像表示制御方法、コンピュータプログラム及び記録媒体に係る画像表示装置の構成例を示すブロック図である。
図１において、１０１は、デジタル画像データを入力するための画像入力部である。前記画像入力部１０１は、メモリや二次記憶上にあるデジタル画像データを画像表示装置に入力するものであってもよいし、デジタルカメラやデジタルビデオ、スキャナーなどの外部機器からアナログまたはデジタルインタフェースを介してデジタル画像データを入力するものであっても構わない。